(57)【要約】【課題】本発明の目的は、安定性の向上を図った電子機器を得ることにある。【解決手段】電子機器１は、上壁７ａを有する筐体７と、筐体７の端部に支持される表示ユニット３と、表示ユニット３とは反対の筐体７内の端部に設けられ、筐体７に開口する開口部２３を通じて筐体７の外部に露出される第１の収容部１１と、第１の収容部１１に着脱自在に収容される第１の機能ユニット１２と、表示ユニット３とは反対の筐体７内の端部に設けられる第２の収容部１５と、第２の収容部１５に収容される第２の機能ユニット１６と、上壁７ａと第２の収容部１５との間に設けられ、第１の収容部１１に開口する開口部３３を通じて第１の収容部１１内に露出される第３の収容部１８と、第３の収容部１８に収容される第３の機能ユニット１９とを具備する。【選択図】      図３
2007179151.tif 000002
【特許請求の範囲】
【請求項１】
上壁を有する筐体と、
上記筐体の端部に支持される表示ユニットと、
上記表示ユニットとは反対の上記筐体内の端部に設けられ、上記筐体に開口する開口部を通じて上記筐体の外部に露出される第１の収容部と、
上記第１の収容部に着脱自在に収容される第１の機能ユニットと、
上記表示ユニットとは反対の上記筐体内の端部に設けられる第２の収容部と、
上記第２の収容部に収容される第２の機能ユニットと、
上記上壁と上記第２の収容部との間に設けられ、上記第１の収容部に開口する開口部を通じて上記第１の収容部内に露出される第３の収容部と、
上記第３の収容部に収容される第３の機能ユニットと、
を具備することを特徴とする電子機器。
【請求項２】
請求項１に記載の電子機器において、
上記第２の機能ユニットおよび上記第３の機能ユニットは、上記第１の機能ユニットの実装高さ内に配置されることを特徴とする電子機器。
【請求項３】
請求項１または請求項２に記載の電子機器において、
上記上壁と上記第３の機能ユニットとの間に第４の機能ユニットを有することを特徴とする電子機器。
【請求項４】
請求項１ないし請求項３に記載の電子機器において、
上記第１の収容部とは反対から上記第３の収容部に隣り合う第５の機能ユニットを有することを特徴とする電子機器。
【請求項５】
上壁を有する筐体と、
上記筐体の端部に支持される表示ユニットと、
上記表示ユニットとは反対の上記筐体内の端部に設けられ、上記筐体に開口する開口部を通じて上記筐体の外部に露出される第１の収容部と、
上記第１の収容部に着脱自在に収容される第１の機能ユニットと、
上記表示ユニットとは反対の上記筐体内の端部に設けられる第２の収容部と、
上記第２の収容部に収容される第２の機能ユニットと、
上記第１の収容部と上記第２の収容部との間に設けられ、上記第１の収容部に開口する開口部を通じて上記第１の収容部内に露出される第３の収容部と、
上記３の収容部に収容される第３の機能ユニットと、
を具備することを特徴とする電子機器。
【請求項６】
請求項５に記載の電子機器において、
上記筐体は、周壁を有し、上記第１の収容部、上記第２の収容部および上記第３の収容部は、上記表示ユニットとは反対の端部の上記周壁に沿って設けられることを特徴とする電子機器。
【請求項７】
請求項１または請求項５に記載の電子機器において、
上記第３の収容部は、コネクタと、上記コネクタと上記第１の収容部との間に配置され、上記第３の機能ユニットを上記第１の収容部から上記コネクタに案内するとともに上記第３の機能ユニットを保持するホルダとを有することを特徴とする電子機器。
【請求項８】
請求項７に記載に電子機器において、
上記ホルダは、上記筐体とは別部材で形成されることを特徴とする電子機器。
【請求項９】
請求項１または請求項５に記載の電子機器において、
上記第１の収容部は、上記第３の収容部に隣り合う端部に切欠き部を有し、上記上壁の内面は、上記切欠き部の上方に上記上壁の厚さが薄くなる凹部を有することを特徴とする電子機器。
【請求項１０】
請求項５に記載の電子機器において、
上記第１の機能ユニットおよび上記第２の機能ユニットの少なくとも一方に対応する上記上壁の内面に沿ってプレート部材が設けられることを特徴とする電子機器。
【請求項１１】
請求項５に記載の電子機器において、
上記第１の収容部は、上記上壁に隣り合って延びる天井壁を有することを特徴とする電子機器。
【発明の詳細な説明】
【技術分野】
【０００１】
本発明は、筐体内に複数の機能ユニットを実装する電子機器に係り、特に機能ユニットの実装構造に関する。
【背景技術】
【０００２】
近年の電子機器は、例えばＯＤＤ（Optical Disk Drive）ユニット、ＨＤＤ（Hard Disk Drive）ユニット、またはバッテリーユニットのような複数の機能ユニットを実装している。これらの機能ユニットは、筐体内に設けられた複数の収容部にそれぞれ収容される。この収容部は、筐体の外壁に開口する開口部を有し、上記機能ユニットはこの開口部を通じて上記収容部に収容される。
【０００３】
例えば、外壁に開口する開口部を有しないカード収容部を備えた電子機器が提供されている（例えば、特許文献１参照）。特許文献１に記載の電子機器は、バッテリー収容部とカード収容部とを備える。バッテリー収容部にはバッテリーパックが取り外し可能に装着される。カード収容部にはメモリーカードが取り外し可能に収容される。カード収容部は、バッテリー収容部に開口するカードスロットを有する。このカードスロットは、バッテリーパックにより覆い隠されている。
【特許文献１】特開平９−２３０９６１号公報
【発明の開示】
【発明が解決しようとする課題】
【０００４】
近年、例えばポータブルコンピュータのような電子機器は、コンピュータとしての機能に加えてＴＶやＤＶＤプレイヤーとしての機能も備え、総合ＡＶ機器として利用されることが多くなってきている。このような電子機器は、ＴＶやＤＶＤをより楽しむために、大型の表示ユニットを備えることが多い。
【０００５】
例えば特許文献１に記載の電子機器は、筐体の前端部にバッテリーパックを収容するとともに、筐体の奥行き方向の中央部にカード収容部やＨＤＤを実装している。表示ユニットは、筐体の後端部に支持されている。
【０００６】
このような電子機器が大型の表示ユニットを採用した場合、表示ユニットを開けようとする時、電子機器が後方に倒れるおそれがある。すなわち、大型の表示ユニットは大きな重量を有する。したがって、表示ユニットを開けようとする時、表示ユニットを開けようとする勢いが強いと電子機器はそのバランスを崩し、本体ごと後方に倒れてしまうおそれがある。
【０００７】
本発明の目的は、安定性の向上を図った電子機器を得ることにある。
【課題を解決するための手段】
【０００８】
上記目的を達成するため、本発明の一つの形態に係る電子機器は、上壁を有する筐体と、上記筐体の端部に支持される表示ユニットと、上記表示ユニットとは反対の上記筐体内の端部に設けられ、上記筐体に開口する開口部を通じて上記筐体の外部に露出される第１の収容部と、上記第１の収容部に着脱自在に収容される第１の機能ユニットと、上記表示ユニットとは反対の上記筐体内の端部に設けられる第２の収容部と、上記第２の収容部に収容される第２の機能ユニットと、上記上壁と上記第２の収容部との間に設けられ、上記第１の収容部に開口する開口部を通じて上記第１の収容部内に露出される第３の収容部と、上記第３の収容部に収容される第３の機能ユニットとを具備する。
【発明の効果】
【０００９】
この構成によれば、表示ユニットとは反対の筐体の端部に複数の機能ユニットを高密度に実装することができ、電子機器の安定性が向上する。
【発明を実施するための最良の形態】
【００１０】
以下に本発明の実施の形態を、ポータブルコンピュータに適用した図面に基づいて説明する。  
図１ないし図１２は、本発明の一つの実施形態に係る電子機器としてのポータブルコンピュータ１を開示している。図１は、ポータブルコンピュータ１の全体を示す。ポータブルコンピュータ１は、本体２と表示ユニット３とを備えている。
【００１１】
図１に示すように、本体２は、本体ベース５と本体カバー６とを備えている。本体カバー６は、本体ベース５に上方から取り付けられる。本体ベース５と本体カバー６とが協働することで、本体２は、上壁７ａ、前壁７ｂ、左壁７ｃ、右壁７ｄ、後壁７ｅ、および下壁７ｆを有する箱状の筐体７を備える。前壁７ｂ、左壁７ｃ、右壁７ｄ、および後壁７ｅは、周壁の一例である。上壁７ａは、キーボード８を支持している。
【００１２】
図１に示すように、表示ユニット３は、ディスプレイハウジング９と、このディスプレイハウジング９に収容された液晶表示パネル１０とを備えている。液晶表示パネル１０は、表示画面１０ａを有している。表示画面１０ａは、ディスプレイハウジング９の前面の開口部９ａを通じてディスプレイハウジング９の外部に露出している。
【００１３】
表示ユニット３は、筐体７の後端部に図示しないヒンジ装置を介して支持されている。そのため、表示ユニット３は、上壁７ａを上方から覆うように倒される閉じ位置と、上壁７ａ、および表示画面１０ａを露出させるように起立する開き位置との間で回動可能である。
【００１４】
図２および図３に示すように、本体２は、バッテリー収容部１１、バッテリーユニット１２、バッテリーカバー１３、ＯＤＤ収容部２２、ＯＤＤユニット１４、ＨＤＤ収容部１５、ＨＤＤユニット１６、ＨＤＤカバー１７、カード収容部１８、カードユニット１９、タッチパッド２０、およびメイン回路基板２１を有する。
【００１５】
バッテリー収容部１１は、第１の収容部の一例である。バッテリーユニット１２は、第１の機能ユニットの一例である。ＨＤＤ収容部１５は、第２の収容部の一例である。ＨＤＤユニット１６は、第２の機能ユニットの一例である。カード収容部１８は、第３の収容部の一例である。カードユニット１９は、第３の機能ユニットの一例である。タッチパッド２０は、第４の機能ユニットの一例である。ＯＤＤ収容部２２は、他の第２の収容部の一例である。ＯＤＤユニット１４は、第５の機能ユニットの一例であり、かつ、他の第２の機能ユニットの一例である。
【００１６】
図２に示すように、バッテリー収容部１１は、筐体７内の右前端部に設けられている。すなわちバッテリー収容部１１は、表示ユニット３とは反対の筐体７内の端部に設けられている。図５に示すように、バッテリー収容部１１は、下方が開放された矩形状の箱形に形成されている。
【００１７】
図５および図６に示すように、筐体７は、第１の開口部２３と第１の支持壁２４とを有する。第１の開口部２３は、下壁７ｆの右前端部においてバッテリー収容部１１に対応して開口している。バッテリー収容部１１は、第１の開口部２３を通じて筐体７の外部に露出されている。
【００１８】
第１の開口部２３は、バッテリー収容部１１に対応した矩形状に形成されている。第１の支持壁２４は、第１の開口部２３の開口縁から第１の開口部２３の内側を向いて延びている。第１の支持壁２４は、下壁７ｆに対してバッテリーカバー１３の厚さ分だけ筐体７の厚さ方向の内側に入り込んでいる。
【００１９】
バッテリー収容部１１は、天井壁２５と側壁２６とを有する。図３に示すように、バッテリー収容部１１の天井壁２５および側壁２６は、本体ベース５の一部で構成されている。バッテリー収容部１１の天井壁２５は、筐体７の上壁７ａとの間にほとんど隙間を空けずに、上壁７ａに沿って延びている。天井壁２５は、上壁７ａに隣り合っている。図２、図５および図６に示すように、バッテリー収容部１１の天井壁２５は、切欠き部２５ａを有する。切欠き部２５ａは、カード収容部１８に隣り合う天井壁２５の左端部において半円形状に切り欠かれている。切欠き部２５ａは、半円形状のうち直線部分を天井壁２５の左周縁に合わせるとともに、カード収容部１８に対応した位置に形成されている。
【００２０】
バッテリー収容部１１の側壁２６は、天井壁２５の全周縁から下方に起立するとともに、第１の開口部２３を向いて延びている。側壁２６の延伸端は、第１の支持壁２４の先端に繋がっている。
【００２１】
図４および図６に示すように、バッテリーカバー１３は、筐体７に着脱自在に取り付けられる。バッテリーカバー１３は、その周縁部を第１の支持壁２４に載置することで筐体７に取り付けられる。筐体７に取り付けられたバッテリーカバー１３は、バッテリー収容部１１を覆うとともに、第１の開口部２３を塞ぐ。第１の支持壁２４が下壁７ｆに対して段差を有することから、第１の支持壁２４に載置されたバッテリーカバー１３は、筐体７の下壁７ｆと同一面上に連なる。
【００２２】
バッテリーユニット１２は、バッテリーカバー１３の内面に保持されている。バッテリーユニット１２は、バッテリーカバー１３の着脱に伴ってバッテリー収容部１１に着脱される。すなわち、バッテリーカバー１３を筐体７に取り付けることで、バッテリーユニット１２はバッテリー収容部１１に収容される。バッテリーカバー１３を筐体７から取り外すことで、バッテリーユニット１２はバッテリー収容部１１から取り外される。バッテリー収容部１１に収容されたバッテリーユニット１２は、電源コネクタ２７に接続され、ポータブルコンピュータ１に電源を供給する。
【００２３】
一方、図２および図３に示すように、筐体７内の左前端部には、ＯＤＤ収容部２２が設けられている。すなわち、ＯＤＤ収容部２２は、表示ユニット３とは反対の筐体７内の端部に設けられている。ＯＤＤ収容部２２は、本体ベース５の一部で形成されている。ＯＤＤ収容部２２は、ＯＤＤユニット１４より一回り大きな矩形状に形成されている。ＯＤＤ収容部２２には、ＯＤＤユニット１４が収容されている。すなわち、ＯＤＤユニット１４は、表示ユニット３とは反対の筐体７内の端部に実装されている。ＯＤＤユニット１４は、例えばＤＶＤドライブまたはＣＤドライブのような光ディスクドライブである。
【００２４】
筐体７の左壁７ｃは図示しない開口部を有する。ＯＤＤユニット１４は、この図示しない開口部を通じて筐体７の外部に露出される挿入口を有する。ＯＤＤユニット１４への光ディスクなどの出し入れは、この図示しない開口部を通じて行なわれる。
【００２５】
図３に示すように、筐体７内の中央前端部には、ＨＤＤ収容部１５が設けられている。すなわち、ＨＤＤ収容部１５は、表示ユニット３とは反対の筐体７内の端部に設けられている。ＨＤＤ収容部１５は、下壁７ｆに沿って筐体７内の下端部に設けられている。ＨＤＤ収容部１５は、下方が開放された矩形状の箱形に形成されている。
【００２６】
図３に示すように、筐体７は、第２の開口部２８と第２の支持壁２９とを有する。第２の開口部２８は、下壁７ｆの中央前端部においてＨＤＤ収容部１５に対応して開口している。すなわち、ＨＤＤ収容部１５は、第２の開口部２８を通じて筐体７の外部に露出されている。
【００２７】
第２の支持壁２９は、第２の開口部２８の開口縁から第２の開口部２８の内側を向いて延びている。第２の支持壁２９は、下壁７ｆに対してＨＤＤカバー１７の厚さ分だけ筐体７の厚さ方向の内側に入り込んでいる。
【００２８】
ＨＤＤ収容部１５は、ＨＤＤホルダ３０と側壁３１とを有する。ＨＤＤ収容部１５の側壁３１は、本体ベース５の一部で構成されている。側壁３１は、第２の支持壁２９の周縁からＨＤＤホルダ３０を向いて延びる。ＨＤＤホルダ３０には、ＨＤＤユニット１６が装着される。ＨＤＤユニット１６は、ＨＤＤホルダ３０に装着されることでＨＤＤ収容部１５に収容される。ＨＤＤ収容部１５に収容されたＨＤＤユニット１６は、図示しないコネクタを介してメイン回路基板２１に電気的に接続される。
【００２９】
ＨＤＤカバー１７は、筐体７に着脱自在に取り付けられる。ＨＤＤカバー１７は、その周縁部を第２の支持壁２９に載置することで筐体７に取り付けられる。筐体７に取り付けられたＨＤＤカバー１７は、ＨＤＤ収容部１５を覆うとともに、第２の開口部２８を塞ぐ。第２の支持壁２９が下壁７ｆに対して段差を有することから、第２の支持壁２９に載置されたＨＤＤカバー１７は、筐体７の下壁７ｆと同一面上に連なる。
【００３０】
図３に示すように、カード収容部１８は、筐体７内の中央前端部に収容されている。カード収容部１８は、上壁７ａとＨＤＤ収容部１５との間に設けられるとともに、バッテリー収容部１１とＯＤＤ収容部２２との間に設けられる。換言すれば、ＯＤＤユニット１４は、バッテリー収容部１１とは反対からカード収容部１８に隣り合う。
【００３１】
カード収容部１８には、カードユニット１９が収容される。カードユニット１９の一例は、例えばＢ−ＣＡＳ（BS Conditional Access Systems）カードである。ただし、カードユニット１９は、これに限らず、例えば、メモリーや、ＳＤ(Secure Digital)カードまたはＰＣカードのようなメモリーカードなどであっても良い。
【００３２】
図３に示すように、ＨＤＤ収容部１５およびカード収容部１８は、互いに重ねられ、バッテリー収容部１１の実装高さ内に設けられている。すなわち、ＨＤＤユニット１６およびカードユニット１９は、バッテリーユニット１２の実装高さ内に互いに重ねて配置される。
【００３３】
図５に示すように、バッテリー収容部１１の左端部の側壁２６には、第３の開口部３３が開口している。カード収容部１８は、第３の開口部３３を通じてバッテリー収容部１１内に露出される。
【００３４】
第３の開口部３３は、第１の開口３３ａと第２の開口３３ｂとを有する。第１の開口３３ａは、バッテリー収容部１１の天井壁２５に沿う矩形状に形成され、筐体７の奥行き方向に沿って延びている。第２の開口３３ｂは、第１の開口３３ａに隣接して設けられ、第１の開口３３ａの周縁から筐体７の下壁７ｆを向いて徐々に開口面積が小さくなる半円状に形成されている。
【００３５】
第３の開口部３３は、バッテリーユニット１２がバッテリー収容部１１に収容された状態では、バッテリーユニット１２に覆われる。すなわち、カード収容部１８は、バッテリーユニット１２がバッテリー収容部１１に収容された状態では、バッテリーユニット１２に覆われる。
【００３６】
カード収容部１８は、コネクタ３５とホルダ３６とを有する。図６に示すように、コネクタ３５は、ＨＤＤ収容部１５の左端部の上方に設けられている。コネクタ３５は、メイン回路基板２１に電気的に接続されている。図８に示すように、コネクタ３５は、第３の開口部３３を向いて開口するスロット３５ａを有する。カードユニット１９は、スロット３５ａに差し込まれることで、コネクタ３５に電気的に接続される。
【００３７】
図８に示すように、ホルダ３６は、第３の開口部３３とコネクタ３５との間に配置される。ホルダ３６は、本体ベース５または本体カバー６とは別部材で形成されている。ホルダ３６は、ホルダ本体４１、ドーム部４２、スリット４３、および一対のガイド４４ａ，４４ｂを有する。  
ホルダ本体４１は、第３の開口部３３からコネクタ３５に亘る大きさを有する。ドーム部４２は、ホルダ本体４１の右端部において、第３の開口部３３の第２の開口３３ｂに対向している。図６に示すように、ドーム部４２は、球面状に形成された凹部であり、ホルダ本体４１の内側に窪んでいる。図５に示すように、ドーム部４２は、第２の開口３３ｂに対応して形成され、ドーム部４２の周縁部は、第２の開口３３ｂの周縁部と連なっている。
【００３８】
スリット４３は、ホルダ本体４１を水平方向に貫通する貫通孔であり、ホルダ本体４１の右端部において第３の開口部３３の第１の開口３３ａに対向している。スリット４３は、その断面形状がカードユニット１９より一回り大きな矩形状に形成されている。カードユニット１９は、第３の開口部３３からスリット４３を通じてカード収容部１８に装着される。
【００３９】
ガイド４４ａ，４４ｂは、ホルダ本体４１の幅方向の両端から、それぞれホルダ本体４１の幅方向の内側を向いて突出するとともに、第３の開口部３３からコネクタ３５を向いて延びている。ガイド４４ａ，４４ｂは、スリット４３のすぐ下方に設けられている。スリット４３に挿入されたカードユニット１９は、ガイド４４ａ，４４ｂによって下方から支持されるとともに、コネクタ３５に案内される。ホルダ３６は、カードユニット１９をバッテリー収容部１１からコネクタ３５に案内する。
【００４０】
図６に示すように、筐体７の上壁７ａは、凹部４６を有する。凹部４６は、本体カバー６で形成される上壁７ａの内面７ａｂに設けられている。凹部４６は、バッテリー収容部１１の切欠き部２５ａの上方に形成されている。さらに詳細には、凹部４６は、切欠き部２５ａの切欠き縁から第３の開口部３３に対向するカード収容部１８の端部に亘って形成されている。凹部４６では、上壁７ａの内面７ａｂが上壁７ａの外面７ａａを向いて窪んでおり、上壁７ａの厚さが薄くなっている。
【００４１】
図１に示すように、筐体７の上壁７ａは、タッチパッド装着部５１を備える。タッチパッド装着部５１は、第４の開口部５１ａを有する。第４の開口部５１ａは、上壁７ａにおいて筐体７の外部に開口している。図２に示すように、タッチパッド装着部５１の下方にはタッチパッド２０が実装される。
【００４２】
タッチパッド２０は、例えば表示画面１０ａに表示されるカーソルなどを操作するポインティングディバイスである。図３に示すように、タッチパッド２０は、筐体７内の中央前部に設けられている。タッチパッド２０は、上壁７ａに沿って筐体７内の上端部に配置されている。タッチパッド２０は、上壁７ａとカード収容部１８との間に配置されている。換言すれば、カード収容部１８は、タッチパッド２０とＨＤＤ収容部１５との間に設けられている。タッチパッド２０は、第４の開口部５１ａを通じて筐体７の外部に露出されている。
【００４３】
ポータブルコンピュータ１においては、バッテリーユニット１２、ＯＤＤユニット１４、ＨＤＤユニット１６、カードユニット１９、およびタッチパッド２０が全て筐体７の前壁７ｂに沿って直列に実装されている。筐体７の前壁７ｂは、表示ユニット３とは反対の端部に位置する周壁である。すなわち、機能ユニット１２，１４，１６，１９，２０は、筐体７内において表示ユニット３とは反対に偏って配置されている。筐体７の後半部は、メイン回路基板２１を収容している。
【００４４】
次に、サポートプレート５３について説明する。  
図１に示すように、上壁７ａは、キーボード８の前側にパームレスト５４を有する。パームレスト５４は、筐体７の長手方向に沿って延びている。パームレスト５４は、タッチパッド２０の左方に位置する左パームレスト５４ａと、タッチパッド２０の右方に位置する右パームレスト５４ｂとを有する。
【００４５】
図１１に示すように、サポートプレート５３は、ＯＤＤユニット１４に対応する上壁７ａの内面７ａｂに沿って設けられている。サポートプレート５３は、プレート部材の一例である。図１０は、本体カバー６を上下逆さまの姿勢にして、筐体７の内側を示す図である。図１０に示すように、サポートプレート５３は、タッチパッド装着部５１から筐体の左壁７ｃに亘る横幅を有するとともに、筐体７の前壁７ｂからキーボード８に亘る縦幅を有する。すなわち、サポートプレート５３は、左パームレスト５４ａの下方を略全部覆う大きさを有する。サポートプレート５３は、本体カバー６の内面にねじ留めされている。
【００４６】
これにより、図９に示すように、サポートプレート５３は、ＯＤＤユニット１４と上壁７ａとの間に配置され、ＯＤＤユニット１４を覆っている。サポートプレート５３は、金属板で形成されている。サポートプレート５３の材料の一例は、鉄を含む合金である。
【００４７】
次に、ポータブルコンピュータ１の作用について説明する。  
ポータブルコンピュータ１を使用する状態では、バッテリーカバー１３が筐体に取り付けられている。したがって、図４に示すように、カード収容部１８はバッテリーユニット１２により覆い隠されている。
【００４８】
カード収容部１８にカードユニット１９を装着する場合は、まずバッテリーカバー１３を筐体７から取り外す。バッテリーカバー１３は、バッテリーユニット１２を一体に保持しているので、バッテリーカバー１３を取り外すとバッテリーユニット１２がバッテリー収容部１１から取り外される。
【００４９】
図５および図７に示すように、バッテリーユニット１２をバッテリー収容部１１から取り外すと、第３の開口部３３を通じて、カード収容部１８のホルダ３６が筐体７の外部に露出される。ユーザーは、第３の開口部３３を通じて、ホルダ３６のスリット４３にカードユニット１９を挿入する。スリット４３に挿入されたカードユニット１９をコネクタ３５に向かって押すことで、カードユニット１９は、ガイド４４ａ，４４ｂに案内されてコネクタ３５に装着される。これにより、カードユニット１９は、コネクタ３５を介してメイン回路基板２１に電気的に接続される。
【００５０】
カードユニット１９をカード収容部１８に収容した後、再びバッテリーカバー１３を筐体７に取り付ける。これにより、バッテリーユニット１２がバッテリー収容部１１に収容され、カード収容部１８を覆い隠す。
【００５１】
図６に示すように、バッテリー収容部１１に収容されたバッテリーユニット１２の左端部は、カード収容部１８に収容されたカードユニット１９にわずかな間隔を空けて対向する。したがって、外部から筐体７に強い衝撃が加わったとしても、カードユニット１９が抜けることはない。すなわち、カードユニット１９を固定するための別部材などは不要である。
【００５２】
カード収容部１８からカードユニット１９を取り外す場合は、まずバッテリーカバー１３を筐体７から取り外す。これにより、バッテリーユニット１２がバッテリー収容部１１から取り外される。したがってバッテリーユニット１２を駆動用電源としてポータブルコンピュータ１に使用している状態では、ポータブルコンピュータ１の電源が必ずＯＦＦとなる。すなわち、カード収容部１８に収容されたカードユニット１９も動作を必ず停止する。
【００５３】
カードユニット１９を取り外す時は、ユーザーは、例えば指でカードユニット１９の上下面を摘んでカード収容部１８から引き抜く。図７に示すように、カードユニット１９の上面側には、バッテリー収容部１１の天井壁２５の切欠き部２５ａと上壁７ａの凹部４６とが互いに協働して、窪みが形成されている。一方、カードユニット１９の下面側には、第３の開口部３３の第２の開口３３ｂとドーム部４２とが互いに協働して窪みが形成されている。したがって、ユーザーは、容易に指をカードユニット１９の上下面に回り込ませることができる。
【００５４】
カードユニット１９を取り外した後、再びバッテリーカバー１３を筐体７に取り付けることで、取り外し作業が完了する。
【００５５】
このような構成のポータブルコンピュータ１によれば、表示ユニット３とは反対の筐体７の端部に複数の機能ユニットを高密度に実装することができ、電子機器の安定性が向上する。
【００５６】
一見、ポータブルコンピュータ１の安定性を向上させるためには、本体２の中心に重量の重い機能ユニットを実装する方が好ましいようにも思える。しかし、本実施形態に係るポータブルコンピュータ１は、敢えて複数の機能ユニットを筐体７内の偏った位置に配置することで、ポータブルコンピュータ１の安定性を向上させたものである。
【００５７】
すなわち、ポータブルコンピュータ１においては、バッテリーユニット１２、ＨＤＤユニット１６、およびカードユニット１９が筐体７の前壁７ｂの近くに集中して配置される。これらのバッテリーユニット１２、ＨＤＤユニット１６、およびカードユニット１９は、筐体７内に実装される部品のなかで重量が大きな部材である。これらのユニット１２，１６，１９を筐体７の前側に集中して配置することで、例え表示ユニット３を勢いよく開けたとしても、本体２はバランスを崩しにくく、本体２は後方へ倒れるおそれが小さい。これにより、ポータブルコンピュータ１の安定性が向上する。
【００５８】
カード収容部１８が第３の開口部３３を通じてバッテリー収容部１１に露出すると、カード収容部１８が筐体７の外壁に開口する挿入口を有する必要がないので、カード収容部１８を筐体７の奥まった位置に設けることができる。例えばカード収容部１８は、ＨＤＤ収容部１５、上壁７ａ、およびバッテリー収容部１１に囲まれた部位に設けることができる。これは、複数の機能ユニット１２，１６，１９を高密度に実装することに寄与する。ポータブルコンピュータ１は、複数の機能ユニット１２，１６，１９を筐体７の前側に高密度に集中して実装することで、安定性を向上させることができる。
【００５９】
例えばＢ−ＣＡＳカードやメモリのようなカードユニットは、バッテリーユニット１２などに比べて取り外しの機会が多くない。筐体７の奥まった部分に配置される第２の収容部が、例えばＢ−ＣＡＳカード用などのカード収容部１８であれば、ポータブルコンピュータ１の操作性を損なわない。
【００６０】
筐体７の前壁７ｂの近くに複数の機能ユニット１２，１６，１９を集中して実装することで、筐体７の後半部にはメイン回路基板２１収容用の大きなスペースを確保することができる。これはメイン回路基板２１への電子部品の実装性を高め、かつ、メイン回路基板２１の設計の自由度を向上させる。
【００６１】
カード収容部１８が筐体７の外壁に開口する挿入口を有する必要がないので、カードユニット１９およびＨＤＤユニット１６をバッテリーユニット１２の実装高さ内に重ねて配置することができる。これは、ポータブルコンピュータ１の高密度実装に寄与する。
【００６２】
ポータブルコンピュータ１は、カード収容部１８と上壁７ａとの間にさらにタッチパッド２０を備える。カード収容部１８が筐体７の外壁に開口する挿入口を有する必要がないので、カード収容部１８は、ＨＤＤ収容部１５、タッチパッド２０、バッテリー収容部１１に囲まれた部位に設けることができる。これは、ポータブルコンピュータ１の高密度実装に寄与する。
【００６３】
ポータブルコンピュータ１においては、バッテリーユニット１２、ＯＤＤユニット１４、およびカードユニット１９が筐体７の前壁７ｂの近くに集中して配置される。
【００６４】
これらのバッテリーユニット１２、ＯＤＤユニット１４、およびカードユニット１９は、筐体７内に実装される部品のなかで重量が大きな部材である。これらのユニット１２，１４，１９を筐体７の前壁７ｂ側に集中して配置することで、例え表示ユニット３を勢いよく開けたとしても、本体２はバランスを崩しにくく、本体２は後方へ倒れるおそれが小さい。これにより、ポータブルコンピュータ１の安定性が向上する。
【００６５】
カード収容部１８が筐体７の外壁に開口する挿入口を有する必要がないので、カード収容部１８は、バッテリー収容部１１とＯＤＤユニット１４とに囲まれた部位に設けることができる。これは、複数の機能ユニット１２，１４，１９を高密度に実装することに寄与する。ポータブルコンピュータ１は、複数の機能ユニット１２，１４，１９を筐体７の前側に高密度に集中して実装することで、安定性を向上させることができる。
【００６６】
特に、機能ユニット１２，１４，１９が筐体７の前壁７ｂに沿って直列的に配置されていると、本体２の重心が表示ユニット３とは反対側に偏るので、ポータブルコンピュータ１の安定性がさらに向上する。
【００６７】
カード収容部１８が、第３の開口部３３からコネクタ３５までカードユニット１９を導くホルダ３６を有していると、筐体７の奥まった位置にあるカード収容部１８に対して、ユーザーは位置決めすることなく容易にカードユニット１９の出し入れすることができる。
【００６８】
特にホルダ３６が筐体７と別部材で形成されていると、例えばカード収容部１８を有しないモデルのポータブルコンピュータへの互換性を向上させることができる。例えばカード収容部１８を有しないモデルのポータブルコンピュータにおいて、第３の開口部３３に露出するホルダ３６にスリット４３が開口していると、ユーザーが誤ってスリット４３に何か物を挿入しようとするおそれがある。これはポータブルコンピュータの故障の原因となるおそれがある。
【００６９】
しかし、ホルダ３６が筐体７と別部材で形成されていると、ホルダ３６を例えば図１２に示すようなホルダ６１に取り替えることができる。ホルダ６１は、スリット４３を閉鎖する閉鎖部材６２を有する。閉鎖部材６２がスリット４３を閉鎖するので、ユーザーがスリット４３に何か物を挿入しようと試みることを避けることができる。これにより、カード収容部１８を有するモデルのポータブルコンピュータ１を、カード収容部１８を有しないモデルへと適切に転換することができる。
【００７０】
ホルダ３６を筐体７と別体に形成すれば、ホルダ３６のドーム部４２などを形成しやすくなる。これはポータブルコンピュータ１のコストダウンに寄与する。
【００７１】
左パームレスト５４ａには、サポートプレート５３が重ねて設けられている。パームレスト５４は、ユーザーが腕を置く部分であり、ユーザーの体重が加わる。しかし左パームレスト５４ａは、サポートプレート５３によって補強され、ユーザーの体重が多少加わったとしても容易には撓まない。
【００７２】
一方、右パームレスト５４ｂの下方にはバッテリー収容部１１の天井壁２５が配置されている。したがってユーザーの体重が右パームレスト５４ｂに多少加わったとしても、右パームレスト５４ｂは天井壁２５に下方から支持されているので容易には撓まない。このように、サポートプレート５３とバッテリー収容部１１の天井壁２５によって筐体７の強度を向上させることができる。
【００７３】
以上、本発明の一つの実施形態に係るポータブルコンピュータ１について説明したが、本発明はもちろんこれに限定されるものでは無い。例えば、バッテリーユニット１２、ＯＤＤユニット１４、ＨＤＤユニット１６、カード収容部１８、およびタッチパッド２０のような機能ユニットの全てが筐体７の前壁７ｂ側に偏って配置される必要は無い。第１ないし第５の機能ユニットは、本実施形態に係るユニット１２，１４，１６，１９，２０に限らず、特にその種類は問わない。
【００７４】
ホルダ３６は、筐体７とは別部材で形成される必要は必ずしも無く、例えば本体カバー６または本体ベース５と一体に形成しても良い。サポートプレート５３が設けられる部位は左パームレスト５４ａに限らず、例えば右パームレスト５４ｂやその他筐体７の強度を補強したい部位に適宜設けることができる。
【００７５】
本発明が適用できる電子機器は、ポータブルコンピュータに限らず、計算機、通信機器、または音響機器などにも適用することができる。
【図面の簡単な説明】
【００７６】
【図１】本発明の一つの実施形態に係るポータブルコンピュータの斜視図。
【図２】図１中に示されたポータブルコンピュータの内部を示す斜視図。
【図３】図１中に示されたポータブルコンピュータのＡ−Ａ線に沿う断面図。
【図４】図３中に示されたバッテリー収容部の斜視図。
【図５】図４中に示されたバッテリーカバーが取り外されたバッテリー収容部の斜視図。
【図６】図３中に示されたバッテリー収容部を拡大して示すの断面図。
【図７】図６中に示されたバッテリーカバーが取り外されたバッテリー収容部の断面図。
【図８】図１中に示されたカード収容部を分解して示す斜視図。
【図９】図１中に示されたポータブルコンピュータの内部を示す斜視図。
【図１０】図１中に示された本体カバーの内面を示す斜視図。
【図１１】図３中に示されたサポートプレートを拡大して示す断面図。
【図１２】本発明の一つの実施形態に係る交換用のホルダを示す斜視図。
【符号の説明】
【００７７】
１…ポータブルコンピュータ、２…本体、３…表示ユニット、７…筐体、７ａ…上壁、７ａｂ…内面、７ａａ…外面、７ｂ…前壁、７ｆ…下壁、１１…バッテリー収容部、１２…バッテリーユニット、１４…ＯＤＤユニット、１５…ＨＤＤ収容部、１６…ＨＤＤユニット、１８…カード収容部、１９…カードユニット、２０…タッチパッド、２２…ＯＤＤ収容部、２３…第１の開口部、２５…天井壁、２６…側壁、２８…第２の開口部、３３…第３の開口部、３５…コネクタ、３６…ホルダ、４６…凹部、５１ａ…第４の開口部、５３…サポートプレート、５４…パームレスト、６１…ホルダ。
【図１】
2007179151.tif 000003
【図２】
2007179151.tif 000004
【図３】
2007179151.tif 000005
【図４】
2007179151.tif 000006
【図５】
2007179151.tif 000007
【図６】
2007179151.tif 000008
【図７】
2007179151.tif 000009
【図８】
2007179151.tif 000010
【図９】
2007179151.tif 000011
【図１０】
2007179151.tif 000012
【図１１】
2007179151.tif 000013
【図１２】
2007179151.tif 000014